【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
第１の端部と第２の端部とを有すると共にチルト軸を画定するフレーム部材を備えるフレームと、
前記フレームに取り付けられるソーラーコレクタと、
前記第１の端部の近くで前記フレーム部材へ連結される第１のサイドサポートと、
前記第２の端部の近くで前記フレーム部材へ連結される第２のサイドサポートと、
前記ソーラーコレクタが前記チルト軸の軸回りに傾けられることができるように、前記第１のサイドサポートと前記第２のサイドサポートへ旋回可能に連結される前記フレーム部材と、を備え、
前記第２のサイドサポートは、第１の支柱と第２の支柱とを備え、前記第１の支柱および前記第２の支柱のそれぞれは、前記チルト軸に略平行な第１の軸回りと、前記第１の支柱および前記第２の支柱が前記フレーム部材に略平行方向から前記フレームから略離れる方向に延出されることを可能にする第２の軸回りと、に旋回動作するように前記フレームに連結されているソーラーコレクタアセンブリ。
【請求項２】
前記第１のサイドサポートは、第１の表面マウントへ連結するように構成される取り付け部材を更に備え、
前記第１の支柱および前記第２の支柱は、第２の表面マウントへ連結するように構成される取り付け部材を更に備える請求項１に記載のソーラーコレクタアセンブリ。
【請求項３】
前記第１のサイドサポートの取り付け部材は、前記第１の表面マウントへ旋回可能に連結されるように構成され、
前記第１の支柱と前記第２の支柱の取り付け部材は、前記第２の表面マウントへ旋回可能に連結されるように構成される請求項２に記載のソーラーコレクタアセンブリ。
【請求項４】
前記第１の表面マウントと前記第２の表面マウントへ更に連結され、
前記第１の表面マウントと前記第２の表面マウントは、それぞれ第１のアンカーレスでバラストタイプのベースと第２のアンカーレスでバラストタイプのベースで構成される請求項３に記載のソーラーコレクタアセンブリ。
【請求項５】
前記第１のアンカーレスでバラストタイプのベースと前記第２のアンカーレスでバラストタイプのベースは、前記ソーラーコレクタアセンブリがその上に配置可能な表面に、前記表面の実質的な掘削なしに、実質的にはその上方に載るように構成される請求項４に記載のソーラーコレクタアセンブリ。
【請求項６】
前記第１の表面マウントと前記第２の表面マウントへ更に連結され、
前記第１の表面マウントは、第１のアンカーレスでバラストタイプのベースを備え、
前記第２の表面マウントは、第２のアンカーレスでバラストタイプの第２のベースと第３のアンカーレスでバラストタイプのベースを備える請求項３に記載のソーラーコレクタアセンブリ。
【請求項７】
第１の端部と第２の端部とを有するフレームと、前記フレームに取り付けられたソーラーコレクタと、前記第１の端部の近くで前記フレームへ連結される第１のサイドサポートと、前記第２の端部の近くで前記フレームへ連結される第２のサイドサポートと、第１の支柱と第２の支柱を備える前記第２のサイドサポートと、前記フレームから略離れる方向に配置されるように前記フレームへそれぞれ連結されている前記第１の支柱と前記第２の支柱と、を備える第１のソーラーコレクタアセンブリと、
前記第１のソーラーコレクタアセンブリがその上に配置可能な表面に、実質的にはその上方に載るように構成されるアンカーレスでバラストタイプのベースを備える第１の表面マウントと、
前記第１のソーラーコレクタアセンブリがその上に配置可能な表面に、実質的にはその上方に載るように構成されるアンカーレスでバラストタイプのベースを備える第２の表面マウントと、を備え、
前記第１のサイドサポートは、前記第１の表面マウントに連結され、前記第２のサイドサポートは、前記第２の表面マウントに連結されるソーラーコレクタアセンブリ。
【請求項８】
前記第２の表面マウントは、第１のアンカーレスでバラストタイプの第２のベースと第２のアンカーレスでバラストタイプの第２のベースを備え、
前記第１の支柱と前記第２の支柱は、それぞれ第１のアンカーレスでバラストタイプの第２のベースと第２のアンカーレスでバラストタイプの第２のベースへ接続される請求項７に記載のソーラーコレクタアセンブリ。
【請求項９】
第２のソーラーコレクタアセンブリを更に備え、
当該第２のソーラーコレクタアセンブリの第１の支柱は、前記第２の表面マウントの第２のアンカーレスバラストタイプの第２のベースへ連結され、
前記第２のアンカーレスでバラストタイプの第２のベースは、第１のソーラーコレクタアセンブリと前記第２のソーラーコレクタアセンブリとに共用される単一のベースを構成し、それによって、前記第１のソーラーコレクタアセンブリと前記第２のソーラーコレクタアセンブリにかけられる横方向の荷重が分布荷重になる請求項８に記載のソーラーコレクタアセンブリ。
【請求項１０】
第１のアンカーレスでバラストタイプのベースと第２のアンカーレスでバラストタイプのベースは、支持表面の実質的な掘削なしの当該支持表面に、実質的にはその上方に載る請求項７から請求項９のいずれか１つに記載のソーラーコレクタアセンブリ。
【請求項１１】
第１の位置で、複数のソーラーコレクタアセンブリを建設するステップであって、前記複数のソーラーコレクタアセンブリのそれぞれは、フレームと当該フレームに取り付けられるソーラーコレクタを備え、前記複数のソーラーコレクタアセンブリのそれぞれは、実質的にコンパクトで格納又は輸送構成に配置される又は展開される構成に配置されるように用意されるステップと、
第２の位置で、複数の表面マウントを準備するステップと、
前記複数のソーラーコレクタアセンブリを設置位置に輸送するステップと、
前記設置位置で支持表面上に少なくとも一列に前記複数の表面マウントを配置するステップと、
前記複数のソーラーコレクタアセンブリのそれぞれがチルト軸回りに回転可能で、選択されたチルト角度で前記支持表面の上方に支持されるように、前記複数のソーラーコレクタアセンブリを前記複数の表面マウントに取り付けることによって、前記複数のソーラーコレクタアセンブリを展開するステップと、を備える追跡型ソーラーコレクタ設備を構築するための方法。
【請求項１２】
前記展開するステップは、前記フレームに連結される一つ以上の支持部材を、前記支持部材が前記フレームに対して実質的に平行に配置される格納又は輸送構成から、前記支持部材が前記フレームから実質的に離れるように向けられる展開構成へ操作するステップを含む請求項１１に記載の方法。
【請求項１３】
前記チルト軸回りの前記ソーラーコレクタの回転を駆動するために、チルトアセンブリを前記複数のソーラーコレクタアセンブリに連結するステップを更に備える請求項１１または請求項１２に記載の方法。
【請求項１４】
前記準備するステップは、バラストタイプの表面マウントを準備するステップを備え、前記配置するステップは、前記支持表面を実質的に掘削することなく前記支持表面に、実質的にその上方にバラストタイプの表面マウントを設置するステップを備える請求項１１から請求項１３のいずれか1つに記載の方法。
【請求項１５】
前記展開するステップは、少なくとも第１のソーラーコレクタアセンブリと第２のソーラーコレクタアセンブリを展開するステップを備え、
前記設置するステップは、前記第１のソーラーコレクタアセンブリと前記第２のソーラーコレクタアセンブリのそれぞれに対して、第１バラストタイプの表面マウントを配置するステップと、前記第１のソーラーコレクタアセンブリと前記第２のソーラーコレクタアセンブリに対して、第１の第２バラストタイプ、第２の第２バラストタイプ及び第３の第２バラストタイプの表面マウントを配置するステップと、を備え、
前記展開するステップは、更に、前記第１のソーラーコレクタアセンブリを前記第１の第２バラストタイプと前記第２の第２バラストタイプの表面マウントへ取り付け、前記第２のソーラーコレクタアセンブリを前記第２の第２バラストタイプと前記第３の第２バラストタイプの表面マウントへ取り付けるステップを備え、
それによって、前記第１のソーラーコレクタアセンブリと前記第２のソーラーコレクタアセンブリにかけられる横方向の荷重は、分布荷重とされることができる請求項１４に記載の方法。
【手続補正２】
【補正対象書類名】明細書
【補正対象項目名】００５６
【補正方法】変更
【補正の内容】
【００５６】
上記で参照されたいずれかの又は全ての特許、特許出願、及び印刷出版物が参照することにより本発明に組み込まれる。
［項目１］
第１の端部と第２の端部とを有するフレームと、前記フレームに取り付けられたソーラーコレクタと、前記第１の端部の近くで前記フレームへ連結される第１のサイドサポートと、前記第２の端部の近くで前記フレーム部材へ連結される第２のサイドサポートと、第１の支持支柱と第２の支持支柱を備える前記第２のサイドサポートと、末端部をそれぞれ有する前記第１の支柱と前記第２の支柱と、をそれぞれ備えるソーラーコレクタアセンブリからなる複数のソーラーコレクタアセンブリと、
実質的に第１の列に、及び支持表面の実質的に上方に配置される複数の第１のベースと、
実質的に第２の列に、及び前記支持表面の実質的に上方に配置される複数の第２のベースと、内側を有する前記第２の列と、を備え、
前記複数の第１のサイドサポートのそれぞれは、前記複数の第１のベースの一つに連結され、
前記複数の第１の支持支柱と前記第２の支持支柱のそれぞれは、前記第２の列の前記内側における前記第２のベースの少なくとも一つが二つの隣接するソーラーコレクタアセンブリの支持支柱へ連結されるように、前記複数の第２のベースの一つに連結される末端部を有し、
前記支持支柱は、少なくとも一つの選択されたチルト角度で前記支持表面の上方で前記ソーラーコレクタアセンブリを支持するソーラーコレクタ設備。
［項目２］
前記第１のベースと前記第２のベースは、アンカーレスでバラストタイプのベースを備える項目１に記載の設備。
［項目３］
前記第１のベースと前記第２のベースは、前記支持表面を実質的に掘削することなく、前記支持表面上に配置される項目１に記載の設備。
［項目４］
前記第２の列の前記内側における前記第２のベースのそれぞれは、二つの隣接するソーラーコレクタアセンブリの支持支柱へ連結される項目１に記載の設備。
［項目５］
複数のスペーサと、
フレームと前記フレームに固定されるソーラーコレクタとを備え、前記フレームは、第１の端部と第２の端部を有しチルト軸を画定するフレーム部材を有するとともに、前記スペーサと係合するように構成されるスペーサ係合エリアを更に有し、前記第１の端部の近くで前記フレーム部材へ連結される第１のサイドサポートと、前記第２の端部の近くで前記フレーム部材へ連結される第２のサイドサポートと、前記ソーラーコレクタが前記チルト軸回りに傾けられることができるように前記第１のサイドサポートと前記第２のサイドサポートへ旋回可能に連結される前記フレーム部材と、をそれぞれ備えるソーラーコレクタアセンブリからなる複数のソーラーコレクタアセンブリと、
スタック構成で前記ソーラーコレクタアセンブリを支持するために、前記スペーサ係合エリアと係合してそれぞれの前記ソーラーコレクタアセンブリの間に位置されるように構成される前記スペーサと、を備えるソーラーコレクタアセンブリのスタック。
［項目６］
前記フレームは、前記第１の端部と前記第２の端部で前記ソーラーコレクタを越えて延出する項目５に記載のソーラーコレクタアセンブリのスタック。
［項目７］
前記第２のサイドサポートは、第１の支柱と第２の支柱を備え、
前記第１の支柱と前記第２の支柱のそれぞれは、前記チルト軸に略平行な第１の軸回りと、前記支柱が前記フレーム部材に略平行な第１の方向から前記フレームから略離れる第２の方向に延出されることを可能にする第２の軸回りと、に旋回動作するように前記フレームに連結されている項目５に記載のソーラーコレクタアセンブリのスタック。
［項目８］
前記複数のスペーサは、第１の端部と第２の端部をそれぞれ有する細長部材を備え、
前記第１の端部は、一つのフレーム部材の穴に通るように構成され、
前記第２の端部は、隣接するフレーム部材の穴に通るように構成される項目５に記載のソーラーコレクタアセンブリのスタック。
［項目９］
前記スペーサ係合エリアは、前記第１の端部と前記第２の端部の近くで前記フレーム部材における穴を備え、
前記複数のスペーサは、前記フレーム部材の前記穴に係合するように構成される複数の第１のスペーサ要素を備え、
前記第１のスペーサ要素は、第１の端部と第２の端部をそれぞれ有する細長部材を備え、
前記細長部材の前記第１の端部は、一つのフレーム部材の前記第１の端部又は前記第２の端部の穴に通るように構成され、
前記細長部材の前記第２の端部は、隣接するフレーム部材に安定して係合するように構成される項目５に記載のソーラーコレクタアセンブリのスタック。
［項目１０］
前記第１のスペーサ要素は、更にロッドを備え、
前記細長部材は、筒状スペーサ要素を備え、
前記筒状スペーサ要素は、前記ロッドが前記フレーム部材の前記第１の端部と前記第２の端部で当該筒状スペーサ要素を通過して延出できるように構成される項目９に記載のソーラーコレクタアセンブリのスタック。
［項目１１］
前記ロッドは、前記ソーラーコレクタアセンブリのスタックの持ち上げを容易にするリフティングポイントを備える項目１０に記載のソーラーコレクタアセンブリのスタック。
［項目１２］
前記フレームは、更に、前記フレーム部材の横方向に延出するレールを備え、更に、
前記レールに係合するように構成される複数の第２のスペーサ要素を備え、
前記第２のスペーサ要素は、ベースと当該ベースから上方へ延出するセンター要素とを有する略上下逆さのＴ字形状の断面形状を有し、
前記ベースは、一つのフレームの前記レールと係合するように構成され、
前記センター要素は、隣接するフレームの前記レールと係合するように構成される項目９に記載のソーラーコレクタアセンブリのスタック。
［項目１２］
前記ソーラーコレクタアセンブリの少なくとも一つは、第１の方向において前記フレーム部材へ固定可能であると共に、第２の方向において当該フレームに固定可能であるように構成された駆動要素を備え、
前記駆動要素は、前記第１の方向にある場合に、前記ピボット軸及び前記ソーラーコレクタから実質的に離れるように延出し、
前記駆動要素は、前記第２の方向にある場合に、前記ピボット軸から実質的に離れるように、及び前記ソーラーコレクタに対して略平行に延出する項目５に記載のソーラーコレクタアセンブリのスタック。
［項目１３］
前記ソーラーコレクタアセンブリを支持するスキッドを更に備える項目１２に記載のソーラーコレクタアセンブリのスタック。
［項目１４］
前記スキッドは、前記ソーラーコレクタアセンブリを支持するベースと、前記ベースから上方へ延出するスタビライザーバーと、を備え、
前記駆動要素は、前記ソーラーコレクタアセンブリのスタックを安定化するのに役立つように前記スタビライザーバーへ固定可能である項目１３に記載のソーラーコレクタアセンブリのスタック。
［項目１５］
複数のソーラーコレクタアセンブリは、駆動要素を備え、
隣接する駆動要素は、それらの間の相対的な横方向移動を少なくとも減少するように互いに係合する入れ子要素を備える項目１４に記載のソーラーコレクタアセンブリのスタック。
［項目１６］
前記スタックの底部のアセンブリが、前記スタックの頂部のアセンブリへ向けて付勢される項目５に記載のソーラーコレクタアセンブリのスタック。
［項目１７］
前記スタックが、更に、前記ソーラーコレクタアセンブリのスタックの持ち上げを容易にするリフティングポイントを備える項目５に記載のソーラーコレクタアセンブリのスタック。